【手続補正書】
【提出日】平成17年9月15日(2005.9.15)
【手続補正１】
【補正対象書類名】特許請求の範囲
【補正対象項目名】全文
【補正方法】変更
【補正の内容】
【特許請求の範囲】
【請求項１】
コンテンツ信号記録領域の内周側に参照情報記録領域が設けられたディスクを対象として、該ディスクを回転駆動するターンテーブル(９)と、回転するディスクから信号を読み取るピックアップ(４)と、ラック(５)とピニオン(73)の噛合によってピックアップ(４)をコンテンツ信号記録領域と参照情報記録領域に跨ってディスク半径方向に往復駆動するピックアップ駆動装置(７)と、ラック(５)に過大な力が作用したときにラック(５)とピニオン(73)の噛合を解除する噛合解除機構(３)とを具えたディスクプレーヤにおいて、
ピックアップ(４)による信号読み取り位置がディスクのコンテンツ信号記録領域と参照情報記録領域の中間位置に達したことを検知する検知手段と、
参照情報記録領域から情報を読み取るべき指令が発せられたときに前記検知手段による検知から一定時間だけピックアップ駆動装置(７)を動作させてピックアップ(４)をディスク内周側へ移動させる駆動制御手段と、
ピックアップ(４)がディスクの参照情報記録領域からの信号読み取り位置に達したときに該ピックアップ(４)の更なる移動を制止するストッパー(61)と、
ピックアップ(４)の移動がストッパー(61)によって制止された状態で噛合解除機構(３)の動作に規制を加える噛合解除規制機構(６)
とを設けたことを特徴とするディスクプレーヤ。
【請求項２】
噛合解除機構(３)は、ピックアップ(４)のベース(40)上に、ラック(５)をピニオン(73)から離間可能に支持すると共にラック(５)をピニオン(73)側へ弾性付勢して構成される請求項１に記載のディスクプレーヤ。
【請求項３】
噛合解除規制機構(６)は、ピックアップ(４)の移動がストッパー(61)によって制止された状態でラック(５)のディスク内周側の端部に係合して、該端部がピニオン(73)から離間する方向に移動することを阻止するものである請求項１又は２に記載のディスクプレーヤ。
【請求項４】
駆動制御手段は、前記検知手段による検知から一定時間だけピックアップ(４)をディスクの参照情報記録領域へ移動させる際の駆動電圧を、ピックアップ(４)をディスクのコンテ
ンツ信号記録領域にて往復移動させる際の駆動電圧よりも低下させる請求項１乃至請求項３の何れかに記載のディスクプレーヤ。
【請求項５】
前記一定時間は、ピックアップ(４)の移動がストッパー(61)によって制止されるまでピックアップ(４)をディスク内周側へ移動させるのに必要な時間以上に設定されている請求項３に記載のディスクプレーヤ。
【請求項６】
コンテンツ信号記録領域の内周側に参照情報記録領域が設けられたディスクを対象として、該ディスクを回転駆動するターンテーブル（9）と、回転するディスクから信号を読み
取るピックアップ（4）と、ラック（5）とピニオン（73）の噛合によってピックアップ（4）をコンテンツ信号記録領域と参照情報記録領域に跨ってディスク半径方向に往復駆動
するピックアップ駆動装置（7）と、ラック（5）に過大な力が作用したときにラック（5
）とピニオン（73）の噛合を解除する噛合解除機構（3）とを具えたディスクプレーヤに
おいて、
ピックアップ（4）による信号読み取り位置が所定位置にあることを検知する検知手段
と、
参照情報記録領域から情報を読み取るべき指令が発せられたときに前記検知手段による検知から一定時間だけピックアップ駆動装置（7）を動作させてピックアップ（4）をディスク内周側へ移動させる駆動制御手段と、
ディスクの内周側へのピックアップ（4）の移動を制止するストッパー（61）と、
ピックアップ（4）の移動がストッパー（61）によって制止された状態で噛合解除機構
（3）の動作に規制を加える噛合解除規制機構（6）
とを設けたことを特徴とするディスクプレーヤ。
【請求項７】
噛合解除機構（3）は、ピックアップ（4）のベース（40）上に、ラック（5）をピニオン
（73）から離間可能に支持すると共にラック（5）をピニオン（73）側へ弾性付勢して構
成される請求項６に記載のディスクプレーヤ。
【請求項８】
噛合解除規制機構（6）は、ピックアップ（4）の移動がストッパー（61）によって静止された状態でラック（5）のディスク内周側の端部に係合して、該端部がピニオン（73）か
ら離間する方向に移動することを阻止するものである請求項６又は７に記載のディスクプレーヤ。
【請求項９】
駆動制御手段は、前記検知手段による検知から一定時間だけピックアップ（4）をディス
ク内周側へ移動させる際の駆動電圧を、ピックアップ（4）をディスクのコンテンツ信号
記録領域内を往復移動させる際の駆動電圧よりも低下させる請求項６乃至８のいずれかに記載のディスクプレーヤ。
【請求項１０】
前記一定時間は、ピックアップ（4）の移動がストッパー（61）によって制止されるまで
ピックアップ（4）をディスク内周側へ移動させるのに必要な時間以上に設定されている
請求項６乃至８のいずれかに記載のディスクプレーヤ。
【手続補正２】
【補正対象書類名】明細書
【補正対象項目名】００１０
【補正方法】変更
【補正の内容】
【００１０】
本発明に係るディスクプレーヤは、ディスクを回転駆動するターンテーブル(９)と、回転するディスクから信号を読み取るピックアップ(４)と、ラック(５)とピニオン(73)の噛
合によってピックアップ(４)をコンテンツ信号記録領域と参照情報記録領域に跨ってディスク半径方向に往復駆動するピックアップ駆動装置(７)と、ラック(５)に過大な力が作用したときにラック(５)とピニオン(73)の噛合を解除する噛合解除機構(３)と、ピックアップ(４)による信号読み取り位置がディスクのコンテンツ信号記録領域と参照情報記録領域の中間位置あるいは所定位置に達したことを検知する検知手段と、参照情報記録領域から情報を読み取るべき指令が発せられたときに前記検知手段による検知から一定時間だけピックアップ駆動装置(７)を動作させてピックアップ(４)をディスク内周側へ移動させる駆動制御手段と、ディスクの内周側へのピックアップの移動を制止する、具体的にはピックアップ(４)がディスクの参照情報記録領域からの信号読み取り位置に達したときに該ピックアップ(４)の更なる移動を制止するストッパー(61)と、ピックアップ(４)の移動がストッパー(61)によって制止されている状態で噛合解除機構(３)の動作に規制を加える噛合解除規制機構(６)とを具えている。
【手続補正３】
【補正対象書類名】明細書
【補正対象項目名】００１１
【補正方法】変更
【補正の内容】
【００１１】
上記本発明のディスクプレーヤにおいて、ディスクのコンテンツ信号記録領域から信号の読み取りを行なうべき指令が発せられたときは、ピックアップ駆動装置(７)を動作させて、ピックアップ(４)をディスク内周側へ向けて移動させる。その後、検知手段によってピックアップ(４)による読み取り位置がコンテンツ信号記録領域と参照情報記録領域の中間位置（所定位置）に達したことが検知された時点で、ピックアップ駆動装置(７)の動作を停止させ、或いは一定時間だけ逆向きに動作させた後、コンテンツ信号記録領域からの信号の読み取りに移行する。
【手続補正４】
【補正対象書類名】明細書
【補正対象項目名】００１２
【補正方法】変更
【補正の内容】
【００１２】
これに対し、ディスクの参照情報記録領域から情報の読み取りを行なうべき指令が発せられたときは、ピックアップ駆動装置(７)を動作させて、ピックアップ(４)をディスク内周側へ移動させる。その後、検知手段によって、ピックアップ(４)による読み取り位置がコンテンツ信号記録領域と参照情報記録領域の中間位置（所定位置）に達したことが検知された時点から、更にピックアップ駆動装置(７)を同じ方向に一定時間だけ動作させて、ピックアップ(４)をディスク内周側へ移動させる。ここで一定時間は、ピックアップ(４)の移動がストッパー(61)によって制止されるまでピックアップ(４)をディスク内周側へ移動させるのに必要な時間以上に設定されている。